(57)【要約】      （修正有）【課題】片手で簡便に操作をすることができる粘着テープカッター固定器を提供する。【解決手段】粘着テープカッター１の軸受け部４に挿入する軸部１１と、粘着テープカッターの連接部６が係合する係合爪部１２と、軸部１１および係合爪部１２が備えられた本体部１３と、この本体部に備えられた固定部１４と、被固定部材８と刃部５との間隔を形成するために連接部６と本体部１３との間に備えられた台座部１５と、から粘着テープカッター固定器を構成する。【選択図】図２
0003192296.tif 000002
【実用新案登録請求の範囲】
【請求項１】
粘着テープが環状に巻かれた環状テープ本体の軸に配置された筒状の軸受け部と、前記粘着テープが送り出される方向に配置された刃部と、前記軸受け部と前記刃部とが連ねられた連接部と、が備えられて粘着テープカッターが構成され、
前記軸受け部に挿入される軸部と、
前記連接部が係合する係合爪部と、
前記軸部および前記係合爪部が備えられた本体部と、
前記本体部に備えられた固定部と、
から構成され、前記粘着テープカッターが取り付けられて被固定部材に固定される、
ことを特徴とする粘着テープカッター固定器。
【請求項２】
前記被固定部材と前記刃部との間隔を形成するために前記連接部と前記本体部との間に台座部が備えられた、
ことを特徴とする請求項１に記載された粘着テープカッター固定器。
【考案の詳細な説明】
【技術分野】
【０００１】
本考案は、粘着テープカッターを所定の場所に固定するための粘着テープカッター固定器に関するものである。
【背景技術】
【０００２】
従来、粘着テープは環状に巻かれて粘着テープカッターに取り付けられ、用途に応じて所定の長さに切断されて用いられる。粘着テープカッターは、使用される環境や粘着テープの規格に応じて大型のものや小型のものがある。例えば梱包の作業場などで用いられる大型の粘着テープカッターは、粘着テープが引っ張られ、巻かれた状態から引き剥がされる際、粘着テープが引っ張られる力に対抗して粘着テープカッターを固定させるために重りが備えられている。一方、例えば事務処理などのデスクで用いられる小型の粘着テープカッターは、使用者の一方の手で支持され、他方の手で粘着テープが引っ張られる。
【考案の概要】
【考案が解決しようとする課題】
【０００３】
上記したとおり、小型の粘着テープカッターは、粘着テープが使用される際、使用者の一方の手で支持され、他方の手で粘着テープが引っ張られる。そのため、使用者は両手を使わなければ粘着テープを切断することができない。例えば事務処理などのデスクでは、重い大型の粘着テープカッターよりも小型の粘着テープカッターが用いられるが、事務処理において頻繁かつ多量に粘着テープが用いられるため、小型の粘着テープカッターは操作が繁雑である。
【０００４】
本考案は、上記の実情に鑑みて提案されたものである。すなわち、簡便な操作を実現するこができる粘着テープカッター固定器の提供を目的とする。
【課題を解決するための手段】
【０００５】
上記目的を達成するために、本考案に係る粘着テープカッター固定器は、粘着テープが環状に巻かれた環状テープ本体の軸に配置された筒状の軸受け部と、前記粘着テープが送り出される方向に配置された刃部と、前記軸受け部と前記刃部とが連ねられた連接部と、が備えられて粘着テープカッターが構成され、前記軸受け部に挿入される軸部と、前記連接部が係合する係合爪部と、前記軸部および前記係合爪部が備えられた本体部と、前記本体部に備えられた固定部と、から構成され、前記粘着テープカッターが取り付けられて被固定部材に固定される、ことを特徴としている。
【０００６】
本考案に係る粘着テープカッター固定器は、前記被固定部材と前記刃部との間隔を形成するために前記連接部と前記本体部との間に台座部が備えられた、ことを特徴としている。
【考案の効果】
【０００７】
本考案に係る粘着テープカッター固定器は、上記した構成である。この構成により、粘着テープカッター固定器が固定部を介して被固定部材に固定されているため、粘着テープカッター固定器に取り付けられた粘着テープカッターは、粘着テープが引っ張られて環状テープ本体から引き剥がされる際、被固定部材に固定された位置で留まる。したがって、使用者が片手で操作することができ、簡便な操作を実現することができる。
【０００８】
本考案に係る粘着テープカッター固定器は、被固定部材と刃部との間隔を形成するために連接部と本体部との間に台座部が備えられている。この構成により、粘着テープが切断される際に歯部に押し当てられながら引っ張られる方向において、被固定部材と刃部との間に空間が形成される。したがって、使用者が粘着テープを切断する際に、手が被固定部材に当たることがなく、粘着テープを切断しやすくすることができる。
【図面の簡単な説明】
【０００９】
【図１】本考案の実施形態に係る粘着テープカッター固定器が示され、（ａ）が側面図、（ｂ）が斜視図である。
【図２】本考案の実施形態に係る粘着テープカッター固定器への粘着テープカッターの取り付け手順を説明する手順説明図である。
【図３】本考案の実施形態に係る粘着テープカッター固定器の使用状態を説明する使用状態斜視説明図である。
【図４】本考案の実施形態に係る粘着テープカッター固定器の使用状態を説明する使用状態側面説明図である。
【図５】本考案の実施形態に係る粘着テープカッター固定器の使用例を説明する使用例側面説明図である。
【考案を実施するための形態】
【００１０】
以下に、本考案の実施形態を図面に基づいて説明する。図１は、本考案の実施形態に係る粘着テープカッター固定器１０の外観が示されている。図２は、粘着テープカッター固定器１０への粘着テープカッター１の取り付け手順が示されているなお、本実施形態を理解しやすくするため、以下の説明では、固定器１０の全長の長さ方向を上方向、下方とし、全長と直交する方向を高さ方向とする（図１参照）。
【００１１】
図１および図２に示されているとおり、本考案の実施形態に係る粘着テープカッター固定器１０は、小型の粘着テープカッター１が取り付けられる。小型の粘着テープカッター１は一般的な構成であり、例えば、粘着テープ２が環状に巻かれた環状テープ本体３の軸に配置された筒状の軸受け部４、粘着テープ２が送り出される方向に配置された刃部５、軸受け部４と刃部５とが連ねられた連接部６、が備えられている。連接部６は、二つの板状部材が互いに対面して形成され、間に溝部７が形成されている。
【００１２】
図１および図２に示されているとおり、粘着テープカッター固定器１０は、軸受け部４に挿入される軸部１１、連接部６が係合する係合爪部１２、軸支持部１６を介して軸部１１が形成されると共に台座部１５を介して係合爪部１２が形成された本体部１３、この本体部１３に取り付けられた固定部１４、から構成され、小型の粘着テープカッター１が取り付けられて被固定部材８に固定される。
【００１３】
図１に示されているとおり、本体部１３は、ほぼ長方形の板状であり、全長が、ほぼ軸受け部４から刃部５までの長さに相当する（図４参照）。本体部１３の裏側は、固定部１４が取り付けられている。本体部１３の表側は、軸支持部１６を介して形成された軸部１１、および台座部１５を介して形成された係合爪部１２が形成されている。
【００１４】
固定部１４は磁石であり、本体部１３とほぼ同じ形状に形成されている。固定部１４は被固定部材８に固定されるものであればよく、被固定部材８に応じて、例えば吸盤（図示省略）、面ファスナー（図示省略）、フック（図５参照）、などであってもよい。
【００１５】
軸支持部１６は板状であり、一方の端が本体部１３の上方端側方に取り付けられ、他方の端に軸部１１が取り付けられている。軸部１１は円柱状であり、本体部１３に対面して高さ方向に配置されている。軸部１１は軸受け部４とほぼ同径に形成され、片方の端が軸支持部１６の他方の端に取り付けられている。なお、軸部１１は軸受け部４に挿入される形状であれば、多角柱状であってもよい。
【００１６】
台座部１５は、本体部１３の下方に取り付けられ、被固定部材８と刃部５との間隔を形成するために連接部６と本体部１３との間に形成されている（図４参照）。台座部１５は、高さ方向の面に傾斜面部１７が形成され、傾斜面部１７が、下方から上方にかけて下る方向に傾斜している。傾斜面部１７は係合爪部１２が形成されている。係合爪部１２は対面する一対の爪状部材から構成され、爪状部材同士の間隔が溝部７の幅に揃えられている。
【００１７】
上記のとおり、粘着テープカッター固定器１０が形成されている。
【００１８】
次に、粘着テープカッター固定器１０の使用方法を、図面に基づいて作用と共に説明する。図３および図４は、粘着テープカッター固定器１０の使用状態が示されている。
【００１９】
図２に示されているとおり、粘着テープカッター固定器１０に小型の粘着テープカッター１を取り付ける。詳説すれば、軸部１１を小型の粘着テープカッター１の軸受け部４に挿入する。軸受け部４に軸部１１が挿入された状態で、軸部１１を軸に小型の粘着テープカッター１を回転させ、溝部７に係合爪部１２を係合すると共に、連接部６を台座部１５の傾斜面部１７に設置する。
【００２０】
図３および図４に示されているとおり、小型の粘着テープカッター１が取り付けられた粘着テープカッター固定器１０を縦にし、デスクを区切るパネルなどに固定する。粘着テープ２を引っ張りながら環状テープ本体３から引き剥がし、歯部５に押し当てて所望の長さで切断する。その際、小型の粘着テープカッター１は、軸受け部４が軸部１１に支持されたことで、粘着テープ２が引っ張られることに対抗し、被固定部材８に固定された位置で留まる。粘着テープ２が切断される際に刃部５に押し当てられながら引っ張られる方向１８において、台座部１５によって被固定部材８と刃部５との間に形成された空間に使用者の手が配置される。
【００２１】
次に、粘着テープカッター固定器１０の効果を説明する。
【００２２】
上記したとおり、粘着テープカッター固定器１０は、軸受け部４に挿入される軸部１１、連接部６が係合する係合爪部１２、軸支持部１６を介して軸部１１が形成されると共に台座部１５を介して係合爪部１２が形成された本体部１３、この本体部１３に取り付けられた固定部１４、から構成されている。小型の粘着テープカッター１を取り付ける際、軸部１１を小型の粘着テープカッター１の軸受け部４に挿入する。軸受け部４に軸部１１が挿入された状態で、軸部１１を軸に小型の粘着テープカッター１を回転させ、溝部７に係合爪部１２を係合すると共に、連接部６を台座部１５の傾斜面部１７に設置する。
【００２３】
この構成により、粘着テープ２が引っ張られて環状テープ本体３から引き剥がされ、歯部５に押し当てられて所望の長さで切断される。粘着テープ２が切断される際に刃部５に押し当てられながら引っ張られる方向１８において、台座部１５によって被固定部材８と刃部５との間に形成された空間に使用者の手が配置される。
【００２４】
したがって、使用者が片手で操作することができ、簡便な操作を実現することができる。また、使用者が粘着テープ２を切断する際に、手が被固定部材８に当たることがなく、粘着テープ２を切断しやすくすることができる。
【００２５】
次に、本考案の実施例を説明する。
【００２６】
本体部１３は、上方端から台座部１５までが約４．５ｃｍである。高さ方向における本体部１３から軸部１１の中心までが約２．４５ｃｍである。軸部１１は直径が約１．５ｃｍ、長さが約２．５ｃｍである。台座部１５は高さが約１．３ｃｍである。係合爪部１２は傾斜面部１７の幅方向の端から約０．６ｃｍの位置に配置されている。
【００２７】
以上、本考案の実施形態の一つを例示して詳述したが、本考案は上記実施形態に限定されるものではない。そして本考案は、実用新案登録請求の範囲に記載された事項を逸脱することがなければ、種々の設計変更を行うことが可能である。
【符号の説明】
【００２８】
１                小型の粘着テープカッター
２                粘着テープ
３                環状テープ本体
４                軸受け部
５                刃部
６                連接部
７                溝部
８                被固定部材
１０              粘着テープカッター固定器
１１              軸部
１２              係合爪部
１３              本体部
１４              固定部
１５              台座部
１６              軸支持部
１７              傾斜面部
１８              引っ張られる方向
【図１】
0003192296.tif 000003
【図２】
0003192296.tif 000004
【図３】
0003192296.tif 000005
【図４】
0003192296.tif 000006
【図５】
0003192296.tif 000007